(57)【要約】  本出願は、上りデータのスケジューリング方法及び装置を開示する。該方法は、端末装置が、ネットワーク装置からの第１シグナリングを受信し、前記第１シグナリングがＭ個のビームのビーム情報を含み、Ｍが正整数であることと、前記端末装置が前記第１シグナリングに基づいて、前記Ｍ個のビームに対してキャリアのセンシングを順次行うことと、前記端末装置がセンシング結果に基づいて、前記Ｍ個のビームのうちの１つのビームを選択して前記ネットワーク装置に上りチャネルを送信することとを含む。従って、ネットワーク装置が、端末装置のために、上りチャネル送信用の複数の候補ビームを設定することで、端末装置は、所定のルールに従って複数の候補ビームでキャリアのセンシングを順次行い、センシング結果に基づいて、好適なビームを選択して上りチャネル送信を行う、それにより、アンライセンス帯域における上りチャネルの伝送遅延を大幅に低下させることができる。
2021517387.tif 000002
【特許請求の範囲】
【請求項１】
上りデータのスケジューリングであって、
端末装置が、ネットワーク装置からの第１シグナリングを受信し、前記第１シグナリングがＭ個のビームのビーム情報を含み、Ｍが正整数であることと、
前記端末装置が、前記第１シグナリングに基づいて、前記Ｍ個のうちの全て又は一部のビームに対してキャリアのセンシングを行うことと、
前記端末装置が、センシング結果に基づいて、前記全て又は一部のビームのうちの１つのビームを選択して、前記ネットワーク装置に上りチャネルを送信することとを含む、前記方法。
【請求項２】
前記ビーム情報は、サウンディング基準信号（ＳＲＳ）リソースインデックスであることを特徴とする
請求項１に記載の方法。
【請求項３】
前記上りチャネルは、物理上り共有チャネル（ＰＵＳＣＨ）又は物理上り制御チャネル（ＰＵＣＣＨ）であることを特徴とする
請求項１又は２に記載の方法。
【請求項４】
前記端末装置が、前記第１シグナリングに基づいて前記Ｍ個のビームのうちの１つ又は複数のビームに対してキャリアのセンシングを行うことは、
前記端末装置が、Ｎ番目のビームにおいてチャネルがアイドルであることが検出されるまで、前記第１シグナリングに基づいて、前記Ｍ個のビームに対してキャリアのセンシングを順次行い、ＮがＭ以下の正整数であることを含み、
ここで、前記端末装置がセンシング結果に基づいて、前記Ｍ個のビームのうちの１つのビームを選択して前記端末装置に上りチャネルを送信することは、
前記端末装置が、前記Ｎ番目のビームを利用して前記ネットワーク装置に上りチャネルを送信することを含むことを特徴とする
請求項１から３のうちいずれか一項に記載の方法。
【請求項５】
前記端末装置が前記第１シグナリングに基づいて前記Ｍ個のビームに対してキャリアのセンシングを順次行うことは、
前記端末装置が、前記Ｍ個のビームの優先度に基づいて、優先度の降順に従い、前記Ｍ個のビームに対してキャリアのセンシングを順次行うことを含むことを特徴とする
請求項４に記載の方法。
【請求項６】
前記Ｎ番目のビームを含む、キャリアのセンシングが行われたＮ個のビームは、Ｎ個のセンシングウィンドウに１対１で対応し、前記端末装置が前記Ｎ個のビームのうちの各ビームにおいてキャリアのセンシングを行うために用いられるセンシングウィンドウは、前記各ビームに対応するセンシングウィンドウであることを特徴とする
請求項５に記載の方法。
【請求項７】
前記Ｎ個のセンシングウィンドウは、連続したＮ個のセンシングウィンドウであることを特徴とする
請求項６に記載の方法。
【請求項８】
前記端末装置が前記Ｍ個のビームに対してキャリアのセンシングを順次行う前に、前記方法は、
前記端末装置が、前記ネットワーク装置により送信される、各センシングウィンドウの情報を示すための第１指示情報を受信するか、又は、
前記端末装置が、前記端末装置に予め記憶された前記各センシングウィンドウの情報を取得することを更に含むことを特徴とする
請求項６又は７に記載の方法。
【請求項９】
前記各センシングウィンドウの情報は、前記各センシングウィンドウの時間長及び／又は前記各センシングウィンドウの開始時間位置を含むことを特徴とする
請求項８に記載の方法。
【請求項１０】
前記上りチャネルは、ＰＵＳＣＨであり、前記第1シグナリングは、第１時間長の情報を更に含み、
ここで、前記第１時間長は、前記ネットワーク装置により前記端末装置に送信される物理下り制御チャネル（ＰＤＣＣＨ）が所在するタイムスロット、開始時間領域シンボル又は終了時間領域シンボルと、第１センシングウィンドウの開始時刻との間の時間長であり、前記第１センシングウィンドウは、前記Ｎ個のビームのうちの最初にセンシングするビームに対応するセンシングウィンドウであることを特徴とする
請求項６から９のうちいずれか一項に記載の方法。
【請求項１１】
前記上りチャネルは、ＰＵＳＣＨであり、前記第１シグナリングは、第２時間長の情報を更に含み、
ここで、前記第２時間長は、前記端末装置により前記ネットワーク装置に送信されるＰＵＳＣＨが所在するタイムスロット又は終了時間領域シンボルと、下りフィードバックチャネルが所在するタイムスロット又は開始時間領域シンボルとの間の時間長であり、前記下りフィードバックチャネルは、前記端末装置からネットワーク装置への前記ＰＵＳＣＨに関するフィードバック応答情報の送信に用いられることを特徴とする
請求項６から１０のうちいずれか一項に記載の方法。
【請求項１２】
前記端末装置が前記第１シグナリングに基づいて、前記Ｍ個のビームのうちの全て又は一部のビームに対してキャリアのセンシングを行うことは、
前記端末装置が、前記Ｍ個のビームに対して同時にキャリアのセンシングを行うことを含み、
ここで、前記端末装置が、センシング結果に基づいて、前記全て又は一部のビームのうちの１つのビームを選択して、前記ネットワーク装置に上りチャネルを送信することは、
前記端末装置が、検出された、チャネルがアイドルであるビームを利用して、前記ネットワーク装置に上りチャネルを送信することを含むことを特徴とする
請求項１から３のうちいずれか一項に記載の方法。
【請求項１３】
前記端末装置がネットワーク装置からの前記第１シグナリングを受信する前に、前記方法は、
前記端末装置が、前記ネットワーク装置により送信される、Ｍの値を示すための第２指示情報を受信するか、又は、
前記端末装置が、前記端末装置に予め記憶されたＭの値を取得することを更に含むことを特徴とする
請求項１から１２のうちいずれか一項に記載の方法。
【請求項１４】
上りデータのスケジューリング方法であって、
ネットワーク装置が、端末装置に第１シグナリングを送信し、前記第１シグナリングがＭ個のビームのビーム情報を含み、Ｍが正整数であることと、
前記ネットワーク装置が、前記端末装置により前記Ｍ個のビームのうちの１つのビームを利用して送信された上りチャネルを受信することとを含む、前記方法。
【請求項１５】
前記ビーム情報は、サウンディング基準信号（ＳＲＳ）リソースインデックスであることを特徴とする
請求項１４に記載の方法。
【請求項１６】
前記上りチャネルは、物理上り共有チャネル（ＰＵＳＣＨ）又は物理上り制御チャネル（ＰＵＣＣＨ）であることを特徴とする
請求項１４又は１５に記載の方法。
【請求項１７】
前記ネットワーク装置が、前記端末装置により前記Ｍ個のビームのうちの１つのビームを利用して送信された上りチャネルを受信することは、
前記ネットワーク装置が、前記端末装置により前記Ｍ個のビームのうちのＮ番目のビームを利用して送信された上りチャネルを受信し、前記Ｎ番目のビームは、前記端末装置が前記Ｍ個のビームに対してキャリアのセンシングを順次行い、チャネルがアイドルであることが検出される時に対応するビームであり、Ｎが、Ｍ以下の正整数であることを含むことを特徴とする
請求項１４から１６のうちいずれか一項に記載の方法。
【請求項１８】
前記Ｎ番目のビームを含む、キャリアのセンシングが行われたＮ個のビームは、Ｎ個のセンシングウィンドウに１対１で対応し、前記端末装置が前記Ｎ個のビームのうちの各ビームにおいてキャリアのセンシングを行うために用いられるセンシングウィンドウは、前記各ビームに対応するセンシングウィンドウであることを特徴とする
請求項１７に記載の方法。
【請求項１９】
前記Ｎ個のセンシングウィンドウは、連続したＮ個のセンシングウィンドウであることを特徴とする
請求項１８に記載の方法。
【請求項２０】
前記方法は、
前記ネットワーク装置が、前記端末装置に、各センシングウィンドウの情報を示すための第１指示情報を送信することを更に含むことを特徴とする
請求項１８又は１９に記載の方法。
【請求項２１】
前記各センシングウィンドウの情報は、前記各センシングウィンドウの時間長及び／又は前記各センシングウィンドウの開始時間位置を含むことを特徴とする
請求項２０に記載の方法。
【請求項２２】
前記上りチャネルは、ＰＵＳＣＨであり、前記第1シグナリングは、第１時間長の情報を更に含み、
ここで、前記第１時間長は、前記ネットワーク装置により前記端末装置に送信される物理下り制御チャネル（ＰＤＣＣＨ）が所在するタイムスロット、開始時間領域シンボル又は終了時間領域シンボルと、第１センシングウィンドウの開始時刻との間の時間長であり、前記第１センシングウィンドウは、前記Ｎ個のビームのうちの最初にセンシングするビームに対応するセンシングウィンドウであることを特徴とする
請求項１８から２１のうちいずれか一項に記載の方法。
【請求項２３】
前記上りチャネルは、ＰＵＳＣＨであり、前記第１シグナリングは、第２時間長の情報を更に含み、
ここで、前記第２時間長は、前記端末装置により前記ネットワーク装置に送信されるＰＵＳＣＨが所在するタイムスロット又は終了時間領域シンボルと、下りフィードバックチャネルが所在するタイムスロット又は開始時間領域シンボルとの間の時間長であり、前記下りフィードバックチャネルは、前記端末装置からネットワーク装置への前記ＰＵＳＣＨに関するフィードバック応答情報の送信に用いられることを特徴とする
請求項１８から２２のうちいずれか一項に記載の方法。
【請求項２４】
前記ネットワーク装置が、前記端末装置により前記Ｍ個のビームのうちの１つのビームを利用して送信された上りチャネルを受信することは、
前記ネットワーク装置が、前記端末装置により前記Ｍ個のビームのうちの検出された、チャネルがアイドルであるビームを利用して送信された上りチャネルを受信し、ここで、前記端末装置が、前記Ｍ個のビームに対して同時にキャリアのセンシングを行うことを含むことを特徴とする
請求項１４から１６のうちいずれか一項に記載の方法。
【請求項２５】
前記ネットワーク装置が端末装置にスケジューリンググラント情報を送信する前に、前記方法は、
前記ネットワーク装置が、前記端末装置に、Ｍの値を示すための第２指示情報を送信することを更に含むことを特徴とする
請求項１４から２４のうちいずれか一項に記載の方法。
【請求項２６】
端末装置であって、
ネットワーク装置からの第１シグナリングを受信し、前記第１シグナリングがＭ個のビームのビーム情報を含み、Ｍが正整数であるように構成される送受信ユニットと、
前記第１シグナリングに基づいて、前記Ｍ個のビームに対してキャリアのセンシングを順次行うように構成されるセンシングユニットとを備え、
前記送受信ユニットは更に、センシング結果に基づいて、前記Ｍ個のビームのうちの１つのビームを選択して前記ネットワーク装置に上りチャネルを送信するように構成される、前記端末装置。
【請求項２７】
前記ビーム情報は、サウンディング基準信号（ＳＲＳ）リソースインデックスであることを特徴とする
請求項２６に記載の端末装置。
【請求項２８】
前記上りチャネルは、物理上り共有チャネル（ＰＵＳＣＨ）又は物理上り制御チャネル（ＰＵＣＣＨ）であることを特徴とする
請求項２６又は２７に記載の端末装置。
【請求項２９】
前記センシングユニットは具体的には、
Ｎ番目のビームにおいてチャネルがアイドルであることが検出されるまで、前記第１シグナリングに基づいて、前記Ｍ個のビームに対してキャリアのセンシングを順次行うように構成され、ＮがＭ以下の正整数であり、
ここで、前記送受信ユニットは具体的には、前記Ｎ番目のビームを利用して前記ネットワーク装置に上りチャネルを送信するように構成されることを特徴とする
請求項２６から２８のうちいずれか一項に記載の端末装置。
【請求項３０】
前記センシングユニットは具体的には、
前記Ｍ個のビームの優先度に基づいて、優先度の降順に従い、前記Ｍ個のビームに対してキャリアのセンシングを順次行うように構成されることを特徴とする
請求項２９に記載の端末装置。
【請求項３１】
前記Ｎ番目のビームを含む、キャリアのセンシングが行われたＮ個のビームは、Ｎ個のセンシングウィンドウに１対１で対応し、前記端末装置が前記Ｎ個のビームのうちの各ビームにおいてキャリアのセンシングを行うために用いられるセンシングウィンドウは、前記各ビームに対応するセンシングウィンドウであることを特徴とする
請求項３０に記載の端末装置。
【請求項３２】
前記Ｎ個のセンシングウィンドウは、連続したＮ個のセンシングウィンドウであることを特徴とする
請求項３１に記載の端末装置。
【請求項３３】
前記センシングユニットは更に、
前記送受信ユニットにより、前記ネットワーク装置により送信される、各センシングウィンドウの情報を示すための第１指示情報を受信するか、又は、
前記端末装置に予め記憶された前記各センシングウィンドウの情報を取得するように構成されることを特徴とする
請求項３１又は３２に記載の端末装置。
【請求項３４】
前記各センシングウィンドウの情報は、前記各センシングウィンドウの時間長及び／又は前記各センシングウィンドウの開始時間位置を含むことを特徴とする
請求項３３に記載の端末装置。
【請求項３５】
前記上りチャネルは、ＰＵＳＣＨであり、前記第1シグナリングは、第１時間長の情報を更に含み、
ここで、前記第１時間長は、前記ネットワーク装置により前記端末装置に送信される物理下り制御チャネル（ＰＤＣＣＨ）が所在するタイムスロット、開始時間領域シンボル又は終了時間領域シンボルと、第１センシングウィンドウの開始時刻との間の時間長であり、前記第１センシングウィンドウは、前記Ｎ個のビームのうちの最初にセンシングするビームに対応するセンシングウィンドウであることを特徴とする
請求項３１から３４のうちいずれか一項に記載の端末装置。
【請求項３６】
前記上りチャネルは、ＰＵＳＣＨであり、前記第１シグナリングは、第２時間長の情報を更に含み、
ここで、前記第２時間長は、前記端末装置により前記ネットワーク装置に送信されるＰＵＳＣＨが所在するタイムスロット又は終了時間領域シンボルと、下りフィードバックチャネルが所在するタイムスロット又は開始時間領域シンボルとの間の時間長であり、前記下りフィードバックチャネルは、前記端末装置からネットワーク装置への前記ＰＵＳＣＨに関するフィードバック応答情報の送信に用いられることを特徴とする
請求項３１から３５のうちいずれか一項に記載の端末装置。
【請求項３７】
前記センシングユニットは具体的には、
前記Ｍ個のビームに対して同時にキャリアのセンシングを行うように構成され、
ここで、前記送受信ユニットは具体的には、
検出された、チャネルがアイドルであるビームを利用して、前記ネットワーク装置に上りチャネルを送信するように構成されることを特徴とする
請求項２６から２８のうちいずれか一項に記載の端末装置。
【請求項３８】
前記センシングユニットは更に、
前記送受信ユニットにより、前記ネットワーク装置により送信される、Ｍの値を示すための第２指示情報を受信するか、又は、
前記端末装置に予め記憶されたＭの値を取得するように構成されることを特徴とする
請求項２６から３７のうちいずれか一項に記載の端末装置。
【請求項３９】
ネットワーク装置であって、
端末装置に第１シグナリングを送信し、前記第１シグナリングがＭ個のビームのビーム情報を含み、Ｍが正整数であるように構成される送受信ユニットを備え、
前記送受信ユニットは更に、前記端末装置により前記Ｍ個のビームのうちの１つのビームを利用して送信された上りチャネルを受信するように構成される、前記ネットワーク装置。
【請求項４０】
前記ビーム情報は、サウンディング基準信号（ＳＲＳ）リソースインデックスであることを特徴とする
請求項３９に記載のネットワーク装置。
【請求項４１】
前記上りチャネルは、物理上り共有チャネル（ＰＵＳＣＨ）又は物理上り制御チャネル（ＰＵＣＣＨ）であることを特徴とする
請求項３９又は４０に記載のネットワーク装置。
【請求項４２】
前記送受信ユニットは具体的には、
前記端末装置により前記Ｍ個のビームのうちのＮ番目のビームを利用して送信された上りチャネルを受信するように構成され、前記Ｎ番目のビームは、前記端末装置が前記Ｍ個のビームに対してキャリアのセンシングを順次行い、チャネルがアイドルであることが検出される時に対応するビームであり、Ｎが、Ｍ以下の正整数であることを特徴とする
請求項３９から４１のうちいずれか一項に記載のネットワーク装置。
【請求項４３】
前記Ｎ番目のビームを含む、キャリアのセンシングが行われたＮ個のビームは、Ｎ個のセンシングウィンドウに１対１で対応し、前記端末装置が前記Ｎ個のビームのうちの各ビームにおいてキャリアのセンシングを行うために用いられるセンシングウィンドウは、前記各ビームに対応するセンシングウィンドウであることを特徴とする
請求項４２に記載のネットワーク装置。
【請求項４４】
前記Ｎ個のセンシングウィンドウは、連続したＮ個のセンシングウィンドウであることを特徴とする
請求項４３に記載のネットワーク装置。
【請求項４５】
前記送受信ユニットは更に、
前記端末装置に、各センシングウィンドウの情報を示すための第１指示情報を送信するように構成されることを特徴とする
請求項４３又は４４に記載のネットワーク装置。
【請求項４６】
前記各センシングウィンドウの情報は、前記各センシングウィンドウの時間長及び／又は前記各センシングウィンドウの開始時間位置を含むことを特徴とする
請求項４５に記載のネットワーク装置。
【請求項４７】
前記上りチャネルは、ＰＵＳＣＨであり、前記第1シグナリングは、第１時間長の情報を更に含み、
ここで、前記第１時間長は、前記ネットワーク装置により前記端末装置に送信される物理下り制御チャネル（ＰＤＣＣＨ）が所在するタイムスロット、開始時間領域シンボル又は終了時間領域シンボルと、第１センシングウィンドウの開始時刻との間の時間長であり、前記第１センシングウィンドウは、前記Ｎ個のビームのうちの最初にセンシングするビームに対応するセンシングウィンドウであることを特徴とする
請求項４３から４６のうちいずれか一項に記載のネットワーク装置。
【請求項４８】
前記上りチャネルは、ＰＵＳＣＨであり、前記第１シグナリングは、第２時間長の情報を更に含み、
ここで、前記第２時間長は、前記端末装置により前記ネットワーク装置に送信されるＰＵＳＣＨが所在するタイムスロット又は終了時間領域シンボルと、下りフィードバックチャネルが所在するタイムスロット又は開始時間領域シンボルとの間の時間長であり、前記下りフィードバックチャネルは、前記端末装置からネットワーク装置への前記ＰＵＳＣＨに関するフィードバック応答情報の送信に用いられることを特徴とする
請求項４３から４７のうちいずれか一項に記載のネットワーク装置。
【請求項４９】
前記送受信ユニットは具体的には、
前記端末装置により前記Ｍ個のビームのうちの検出された、チャネルがアイドルであるビームを利用して送信された上りチャネルを受信するように構成され、ここで、前記端末装置が、前記Ｍ個のビームに対して同時にキャリアのセンシングを行うことを特徴とする
請求項３９から４１のうちいずれか一項に記載のネットワーク装置。
【請求項５０】
前記送受信ユニットは更に、前記端末装置に、Ｍの値を示すための第２指示情報を送信するように構成されることを特徴とする
請求項３９から４９のうちいずれか一項に記載のネットワーク装置。
【発明の詳細な説明】
【技術分野】
【０００１】
本出願の実施例は、通信分野に関し、より具体的には、上りデータのスケジューリング方法及び装置に関する。
【背景技術】
【０００２】
５Ｇシステムは、アンライセンス帯域におけるデータ伝送をサポートする。ネットワーク装置が端末装置にスケジューリンググラント情報を送信した後、端末装置は、該スケジューリンググラント情報に基づいて、キャリアのセンシングを行うことができる。あるビーム方向でアイドルチャネルが検出された場合、該端末装置は、該ビームを利用して上りチャネルを送信する。該ビーム方向でアイドルチャネルが存在しなければ、該端末装置は、該上りチャネルの送信を遅延させる。従って、上りチャネルの伝送遅延を如何に低下させるかは、早急に解決しなければならない課題となっている。
【発明の概要】
【発明が解決しようとする課題】
【０００３】
本出願の実施例は、上りチャネルの伝送遅延を低下させることができる上りデータのスケジューリング方法及び装置を提供する。
【課題を解決するための手段】
【０００４】
第１態様によれば、上りデータのスケジューリング方法を提供する。該方法は、端末装置が、ネットワーク装置からの第１シグナリングを受信し、前記第１シグナリングがＭ個のビームのビーム情報を含み、Ｍが正整数であることと、前記端末装置が前記第１シグナリングに基づいて、前記Ｍ個のビームに対してキャリアのセンシングを行うことと、前記端末装置がセンシング結果に基づいて、前記Ｍ個のビームのうちの１つのビームを選択して前記ネットワーク装置に上りチャネルを送信することとを含む。
【０００５】
従って、ネットワーク装置が、端末装置のために、上りチャネル送信用の複数の候補ビームを設定し、端末装置が、複数の候補ビームにおいてキャリアのセンシングを順次行い、センシング結果に基づいて好適なビームを選択して上りチャネルを送信することで、アンライセンス帯域における上りチャネルの伝送遅延を大幅に低下させることができる。
【０００６】
考えられる実現形態において、前記ビーム情報は、ＳＲＳリソースインデックスである。
【０００７】
考えられる実現形態において、前記上りチャネルは、物理上り共有チャネル（ＰＵＳＣＨ）又は物理上り制御チャネル（ＰＵＣＣＨ）である。
【０００８】
考えられる実現形態において、前記端末装置が、前記第１シグナリングに基づいて前記Ｍ個のビームに対してキャリアのセンシングを行うことは、前記端末装置が、Ｎ番目のビームにおいてチャネルがアイドルであることが検出されるまで、前記第１シグナリングに基づいて、前記Ｍ個のビームに対してキャリアのセンシングを順次行い、ＮがＭ以下の正整数であることを含み、
ここで、前記端末装置がセンシング結果に基づいて、前記Ｍ個のビームのうちの１つのビームを選択して前記端末装置に上りチャネルを送信することは、前記端末装置が、前記Ｎ番目のビームを利用して前記ネットワーク装置に上りチャネルを送信することを含む。
【０００９】
考えられる実現形態において、前記端末装置が前記第１シグナリングに基づいて前記Ｍ個のビームに対してキャリアのセンシングを順次行うことは、前記端末装置が、前記Ｍ個のビームの優先度に基づいて、優先度の降順に従い、前記Ｍ個のビームに対してキャリアのセンシングを順次行うことを含む。
【００１０】
考えられる実現形態において、前記Ｎ番目のビームを含む、キャリアのセンシングが行われたＮ個のビームは、Ｎ個のセンシングウィンドウに１対１で対応し、前記端末装置が前記Ｎ個のビームのうちの各ビームにおいてキャリアのセンシングを行うために用いられるセンシングウィンドウは、前記各ビームに対応するセンシングウィンドウである。
【００１１】
考えられる実現形態において、前記Ｎ個のセンシングウィンドウは、連続したＮ個のセンシングウィンドウである。
【００１２】
考えられる実現形態において、前記端末装置が前記Ｍ個のビームに対してキャリアのセンシングを順次行う前に、前記方法は、前記端末装置が、前記ネットワーク装置により送信される、各センシングウィンドウの情報を示すための第１指示情報を受信するか、又は、前記端末装置が、前記端末装置に予め記憶された前記各センシングウィンドウの情報を取得することを更に含む。
【００１３】
考えられる実現形態において、前記各センシングウィンドウの情報は、前記各センシングウィンドウの時間長及び／又は前記各センシングウィンドウの開始時間位置を含む。
【００１４】
考えられる実現形態において、前記上りチャネルは、ＰＵＳＣＨであり、前記第1シグナリングは、第１時間長の情報を更に含み、ここで、前記第１時間長は、前記ネットワーク装置により前記端末装置に送信される物理下り制御チャネル（ＰＤＣＣＨ）が所在するタイムスロット、開始時間領域シンボル又は終了時間領域シンボルと、第１センシングウィンドウの開始時刻との間の時間長であり、前記第１センシングウィンドウは、前記Ｎ個のビームのうちの最初にセンシングするビームに対応するセンシングウィンドウである。
【００１５】
考えられる実現形態において、前記上りチャネルは、ＰＵＳＣＨであり、前記第１シグナリングは、第２時間長の情報を更に含み、ここで、前記第２時間長は、前記端末装置により前記ネットワーク装置に送信されるＰＵＳＣＨが所在するタイムスロット又は終了時間領域シンボルと、下りフィードバックチャネルが所在するタイムスロット又は開始時間領域シンボルとの間の時間長であり、前記下りフィードバックチャネルは、前記端末装置からネットワーク装置への前記ＰＵＳＣＨに関するフィードバック応答情報の送信に用いられる。
【００１６】
考えられる実現形態において、前記端末装置が前記第１シグナリングに基づいて、前記Ｍ個のビームのうちの全て又は一部のビームに対してキャリアのセンシングを行うことは、前記端末装置が、前記Ｍ個のビームに対して同時にキャリアのセンシングを行うことを含み、
ここで、前記端末装置が、センシング結果に基づいて、前記全て又は一部のビームのうちの１つのビームを選択して、前記ネットワーク装置に上りチャネルを送信することは、前記端末装置が、検出された、チャネルがアイドルであるビームを利用して、前記ネットワーク装置に上りチャネルを送信することを含む。
【００１７】
考えられる実現形態において、前記端末装置がネットワーク装置からのスケジューリンググラント情報を受信する前に、前記方法は、前記端末装置が、前記ネットワーク装置により送信される、Ｍの値を示すための第２指示情報を受信するか、又は、前記端末装置が、前記端末装置に予め記憶されたＭの値を取得することを更に含む。
【００１８】
第２態様によれば、上りデータのスケジューリング方法を提供する。該方法は、ネットワーク装置が端末装置に第１シグナリングを送信し、前記第１シグナリングがＭ個のビームのビーム情報を含み、Ｍが正整数であることと、前記ネットワーク装置が、前記端末装置により前記Ｍ個のビームのうちの１つのビームを利用して送信された上りチャネルを受信することとを含む。
【００１９】
従って、ネットワーク装置が、端末装置のために、上りチャネル送信用の複数の候補ビームを設定し、端末装置が、複数の候補ビームにおいてキャリアのセンシングを順次行い、センシング結果に基づいて好適なビームを選択して上りチャネルを送信することで、アンライセンス帯域における上りチャネルの伝送遅延を大幅に低下させることができる。
【００２０】
考えられる実現形態において、前記ビーム情報は、サウンディング基準信号（ＳＲＳ）リソースインデックスである。
【００２１】
考えられる実現形態において、前記上りチャネルは、物理上り共有チャネル（ＰＵＳＣＨ）又は物理上り制御チャネル（ＰＵＣＣＨ）である。
【００２２】
考えられる実現形態において、前記ネットワーク装置が、前記端末装置により前記Ｍ個のビームのうちの１つのビームを利用して送信された上りチャネルを受信することは、前記ネットワーク装置が、前記端末装置により前記Ｍ個のビームのうちのＮ番目のビームを利用して送信された上りチャネルを受信し、前記Ｎ番目のビームは、前記端末装置が前記Ｍ個のビームに対してキャリアのセンシングを順次行い、チャネルがアイドルであることが検出される時に対応するビームであり、Ｎが、Ｍ以下の正整数であることを含む。
【００２３】
考えられる実現形態において、前記Ｎ番目のビームを含む、キャリアのセンシングが行われたＮ個のビームは、Ｎ個のセンシングウィンドウに１対１で対応し、前記端末装置が前記Ｎ個のビームのうちの各ビームにおいてキャリアのセンシングを行うために用いられるセンシングウィンドウは、前記各ビームに対応するセンシングウィンドウである。
【００２４】
考えられる実現形態において、前記Ｎ個のセンシングウィンドウは、連続したＮ個のセンシングウィンドウである。
【００２５】
考えられる実現形態において、前記方法は、前記ネットワーク装置が前記端末装置に、各センシングウィンドウの情報を示すための第１指示情報を送信することを更に含む。
【００２６】
考えられる実現形態において、前記各センシングウィンドウの情報は、前記各センシングウィンドウの時間長及び／又は前記各センシングウィンドウの開始時間位置を含む。
【００２７】
考えられる実現形態において、前記上りチャネルは、ＰＵＳＣＨであり、前記第1シグナリングは、第１時間長の情報を更に含み、ここで、前記第１時間長は、前記ネットワーク装置により前記端末装置に送信される物理下り制御チャネル（ＰＤＣＣＨ）が所在するタイムスロット、開始時間領域シンボル又は終了時間領域シンボルと、第１センシングウィンドウの開始時刻との間の時間長であり、前記第１センシングウィンドウは、前記Ｎ個のビームのうちの最初にセンシングするビームに対応するセンシングウィンドウである。
【００２８】
考えられる実現形態において、前記上りチャネルは、ＰＵＳＣＨであり、前記第１シグナリングは、第２時間長の情報を更に含み、ここで、前記第２時間長は、前記端末装置により前記ネットワーク装置に送信されるＰＵＳＣＨが所在するタイムスロット又は終了時間領域シンボルと、下りフィードバックチャネルが所在するタイムスロット又は開始時間領域シンボルとの間の時間長であり、前記下りフィードバックチャネルは、前記端末装置からネットワーク装置への前記ＰＵＳＣＨに関するフィードバック応答情報の送信に用いられる。
【００２９】
考えられる実現形態において、前記ネットワーク装置が、前記端末装置により前記Ｍ個のビームのうちの１つのビームを利用して送信された上りチャネルを受信することは、前記ネットワーク装置が、前記端末装置により前記Ｍ個のビームのうちの検出された、チャネルがアイドルであるビームを利用して送信された上りチャネルを受信し、ここで、前記端末装置が、前記Ｍ個のビームに対して同時にキャリアのセンシングを行うことを含む。
【００３０】
考えられる実現形態において、前記ネットワーク装置が端末装置にスケジューリンググラント情報を送信する前に、前記方法は、前記ネットワーク装置が、前記端末装置に、Ｍの値を示すための第２指示情報を送信することを更に含む。
【００３１】
第３態様によれば、端末装置を提供する。該端末装置は、上記第１態様又は第１態様の任意選択的な実現形態における端末装置の操作を実行することができる。具体的には、該端末装置は、上記第１態様又は第１態様の任意選択的な実現形態における端末装置の操作を実行するためのモジュールユニットを備えることができる。
【００３２】
第４態様によれば、ネットワーク装置を提供する。該ネットワーク装置は、上記第２態様又は第２態様の任意選択的な実現形態におけるネットワーク装置の操作を実行することができる。具体的には、該ネットワーク装置は、上記第２態様又は第２態様の任意選択的な実現形態におけるネットワーク装置の操作を実行するためのモジュールユニットを備えることができる。
【００３３】
第５態様によれば、端末装置を提供する。該端末装置は、プロセッサと、送受信機と、メモリとを備える。ここで、該プロセッサ、送受信機及びメモリは、内部接続通路を介して相互通信する。該メモリは、命令を記憶するためのものであり、該プロセッサは、該メモリに記憶されている命令を実行するためのものである。該プロセッサが該メモリに記憶されている命令を実行する時、該端末装置が第１態様又は第１態様における任意選択的な実現形態における方法を実行するようにするか、又は、該端末装置が第３態様で提供される端末装置を実現させるようにする。
【００３４】
第６態様によれば、ネットワーク装置を提供する。該ネットワーク装置は、プロセッサと、送受信機と、メモリとを備える。ここで、該プロセッサ、送受信機及びメモリは、内部接続通路を介して相互通信する。該メモリは、命令を記憶するためのものであり、該プロセッサは、該メモリに記憶されている命令を実行するためのものである。該プロセッサが該メモリに記憶されている命令を実行する時、該ネットワーク装置が第２態様又は第２態様における任意選択的な実現形態における方法を実行するようにするか、又は、該ネットワーク装置が第４態様で提供されるネットワーク装置を実現させるようにする。
【００３５】
第７態様によれば、システムチップを提供する。該システムチップは、入力インタフェースと、出力インタフェースと、プロセッサと、メモリとを備え、該プロセッサは、該メモリに記憶されている命令を実行するためのものであり、該命令が実行される時、該プロセッサは、前記第１態様又は第１態様の任意選択的な実現形態における方法を実現させることができる。
【００３６】
第８態様によれば、システムチップを提供する。該システムチップは、入力インタフェースと、出力インタフェースと、プロセッサと、メモリとを備え、該プロセッサは、該メモリに記憶されている命令を実行するためのものであり、該命令が実行される時、該プロセッサは、前記第２態様又は第２態様の任意選択的な実現形態における方法を実現させることができる。
【００３７】
第９態様によれば、命令を含むコンピュータプログラム製品を提供する。前記コンピュータプログラム製品がコンピュータ上で実行される時、該コンピュータに、上記第１態様又は第１態様の任意選択的な実現形態における方法を実行させる。
【００３８】
第１０態様によれば、命令を含むコンピュータプログラム製品を提供する。前記コンピュータプログラム製品がコンピュータ上で実行される時、該コンピュータに、上記第２態様又は第２態様の任意選択的な実現形態における方法を実行させる。
【図面の簡単な説明】
【００３９】
【図１】本出願の実施例に適用した無線通信システムを示す模式図である。
【図２】本出願の実施例による上りデータのスケジューリング方法を示すフローチャートである。
【図３】本出願の実施例による第１時間長及び第２時間長を示す模式図である。
【図４】本出願の実施例による第１時間長及び第２時間長を示す模式図である。
【図５】本出願の実施例による第１時間長及び第２時間長を示す模式図である。
【図６】本出願の実施例による端末装置を示す模式的ブロック図である。
【図７】本出願の実施例によるネットワーク装置を示す模式的ブロック図である。
【図８】本出願の実施例による通信装置を示す模式的構成図である。
【図９】本出願の実施例によるシステムチップを示す模式的構成図である。
【発明を実施するための形態】
【００４０】
本出願の実施例の技術的解決手段は、例えばグローバルモバイル通信（Ｇｌｏｂａｌ  Ｓｙｓｔｅｍ  ｏｆ  Ｍｏｂｉｌｅ  Ｃｏｍｍｕｎｉｃａｔｉｏｎ：「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ：「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｒ  Ｒａｄｉｏ  Ｓｅｒｖｉｃｅ：「ＧＰＲＳ」と略称）、長期的進化（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ：「ＴＤＤ」と略称）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム又は将来の５Ｇシステムといった種々の通信システムに適用されてもよい。
【００４１】
図１は、本出願の実施例に適用した無線通信システム１００を示す。該無線通信システム１００は、ネットワーク装置１１０を備えてもよい。ネットワーク装置１００は端末装置と通信を行う装置であってもよい。ネットワーク装置１００は、特定の地理的エリアに対して通信カバレッジを提供し、且つ該カバレッジ内に位置する端末装置（例えばＵＥ）と通信を行うことができる。任意選択的に、該ネットワーク装置１００は、ＧＳＭシステム又はＣＤＭＡシステムにおける基地局（Ｂａｓｅ  Ｔｒａｎｓｃｅｉｖｅｒ  Ｓｔａｔｉｏｎ：ＢＴＳ）であってもよいし、ＷＣＤＭＡシステムにおける基地局（ＮｏｄｅＢ：ＮＢ）であってもよく、また、ＬＴＥシステムにおける進化型基地局（Ｅｖｏｌｕｔｉｏｎａｌ  ＮｏｄｅＢ：ｅＮＢ又はｅＮｏｄｅＢ）であってもよく、更にクラウド無線アクセスネットワーク（Ｃｌｏｕｄ  Ｒａｄｉｏ  Ａｃｃｅｓｓ  Ｎｅｔｗｏｒｋ：ＣＲＡＮ）における無線コントローラであってもよい。又は、該ネットワーク装置は、中継局、アクセスポイント、車載装置、ウェアラブル装置、将来の５Ｇシステムにおけるネットワーク装置又は将来の進化型公衆地上移動体ネットワーク（Ｐｕｂｌｉｃ  Ｌａｎｄ  Ｍｏｂｉｌｅ  Ｎｅｔｗｏｒｋ：ＰＬＭＮ）における端末装置等であってもよい。
【００４２】
該無線通信システム１００は、ネットワーク装置１１０のカバレッジ内に位置する少なくとも１つの、端末装置１２１及び端末装置１２２のような端末装置を更に備える。端末装置１２１及び端末装置１２２は、移動型であっても固定型であってもよい。任意選択的に、端末装置１２１及び端末装置１２２は、アクセス端末、ユーザ装置（Ｕｓｅｒ  Ｅｑｕｉｐｍｅｎｔ：ＵＥ）、ユーザユニット、ユーザ局、移動ステーション、移動局、遠隔局、遠隔端末、移動装置、ユーザ端末、端末、無線通信装置、ユーザ用エージェント又はユーザ装置であってもよい。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ：ＳＩＰ）電話、ワイヤレスローカルループ（Ｗｉｒｅｌｅｓｓ  Ｌｏｃａｌ  Ｌｏｏｐ：ＷＬＬ）局、パーソナルデジタルアシスタント（Ｐｅｒｓｏｎａｌ  Ｄｉｇｉｔａｌ  Ａｓｓｉｓｔａｎｔ：ＰＤＡ）、無線通信機能を有するハンドヘルド装置、計算装置又は無線モデムに接続される他の処理装置、車載装置、ウェアラブル装置、将来の５Ｇシステムにおける端末装置又は将来の進化型ＰＬＭＮにおける端末装置等であってもよい。ここで、任意選択的に、端末装置１２１と端末装置１２２は、端末間（Ｄｅｖｉｃｅ  ｔｏ  Ｄｅｖｉｃｅ：Ｄ２Ｄ）での通信を行うことができる。
【００４３】
図１は、１つのネットワーク装置及び２つの端末装置を例示的に示す。任意選択的に、該無線通信システム１００は、複数のネットワーク装置を備えてもよく、また各ネットワーク装置のカバレッジに、他の数の端末装置が含まれてもよく、本発明の実施例はこれを限定するものではない。
【００４４】
任意選択的に、該無線通信システム１００は、ネットワークコントローラ、移動管理エンティティ等の他のネットワークエンティティを備えてもよく、本発明は、これを限定するものではない。
【００４５】
５Ｇシステムにおいて、データ伝送に用いられる帯域が、ＬＴＥに用いられる帯域よりも高いため、無線信号伝送によるパスロスが大きくなり、無線信号のカバレッジが小さくなる。従って、５Ｇシステムにおいて、無線信号のゲインを向上させてパスロスを補うために、ビームフォーミング（ｂｅａｍｆｏｒｍｉｎｇ）技術が提案されている。具体的には、基地局から端末装置への信号送信に用いられるビームは、指向性を有する。異なるビームは、実際に異なる送信方向に対応する。各狭ビームは、セルの一部の領域のみをカバーでき、セルにおける全ての領域をカバーすることができない。例えば図１に示すように、図１においてビームＢ１、ビームＢ２、ビームＢ３及びＢ４という４つの異なる方向のビームを示す。基地局は、これら４つの異なる方向のビームにより端末装置に信号を送信することができる。ビームＢ１及びビームＢ２は、端末装置１２１のみをカバーできるが、端末装置１２２をカバーすることができない。ビームＢ３及びビームＢ４は、端末装置１２２のみをカバーできるが、端末装置１２１をカバーすることができない。基地局は、ビームＢ１及びビームＢ２により端末装置１２１に信号を送信し、ビームＢ３及びビームＢ４により端末装置１２２に信号を送信することができる。
【００４６】
なお、５Ｇシステムにおいて、アンライセンス帯域（ｕｎｌｉｃｅｎｓｅｄ  ｆｒｅｑｕｅｎｃｙ  ｂａｎｄｓ）におけるデータ伝送を更にサポートする。アンライセンス帯域を用いてデータ伝送を行う時、リッスンビフォートーク（ＬＢＴ：Ｌｉｓｔｅｎ  ｂｅｆｏｒｅ  ｔａｌｋ）メカニズムに基づいて行う。アンライセンス帯域で作動する通信システムは、送信ノードが信号を送信する前に、ＬＢＴの方式でチャネルがアイドルであるかを判定することができる。チャネルがアイドルであると判定した場合のみ、信号を送信することができる。
【００４７】
ＬＴＥシステムにおいて、基地局は、下りタイムスロットにおいてチャネルがアイドルであることを検出してから、該アイドルチャネルを用いて端末装置に上りスケジューリンググラント（Ｕｐｌｉｎｋ  Ｇｒａｎｔ：ＵＬ  Ｇｒａｎｔ）を送信する。端末装置は、該上りスケジューリンググラントを受信してからセンシングを行う。チャネルがアイドルであることを検出すると、端末装置は、該アイドルチャネルを用いて上りデータを送信する。
【００４８】
５Ｇシステムにおいて、端末装置と基地局とは、チャネル状態指示基準信号（Ｃｈａｎｎｅｌ  Ｓｔａｔｅ  Ｉｎｄｉｃａｔｉｏｎ  Ｒｅｆｅｒｅｎｃｅ  Ｓｉｇｎａｌｓ：ＣＳＩ−ＲＳ）、チャネルサウンディング基準信号（Ｓｏｕｎｄｉｎｇ  Ｒｅｆｅｒｅｎｃｅ  Ｓｉｇｎａｌ  Ｒｅｆｅｒｅｎｃｅ  Ｓｉｇｎａｌｓ：ＳＲＳ）及び同期信号ブロック（Ｓｙｎｃｈｒｏｎｉｚｉｎｇ  Ｓｉｇｎａｌ  Ｂｌｏｃｋ：ＳＳＢ）などの基準信号の送信及び測定プロセスにより、測定結果が最適であるリンクを取得してデータ伝送を行うことができる。
【００４９】
端末装置は、１つの決まったビームにおいてキャリアのセンシングを行う（又はビームセンシング、チャネルセンシングなどと呼ばれる）。データを送信する前に該ビームにおけるチャネルがビジーであることを検出した場合、該上りデータを送信できなくなる。従って、端末装置が１つのスケジューリング機会を失う可能性があり、該上りデータの伝送が遅延してしまう。
【００５０】
アンライセンス帯域における上りチャネルの伝送遅延を低下させるために、本出願の実施例において、ネットワーク装置が、端末装置のために、上りチャネル送信用の複数の候補ビームを設定し、端末装置が、複数の候補ビームにおいてキャリアのセンシングを順次行い、センシング結果に基づいて好適なビームを選択して上りチャネルを送信することで、アンライセンス帯域における上りチャネルの伝送遅延を大幅に低下させることができる。
【００５１】
図２は、本出願の実施例による上りデータのスケジューリング方法を示すフローチャートである。図２に示したネットワーク装置は、例えば図１に示したネットワーク装置１１０であってもよい。図２に示した端末装置は、例えば図１に示した端末装置１２１及び端末装置１２２であってもよい。図２に示した方法は、アンライセンス帯域に適用されてもよく、図２に示すように、該上りデータのスケジューリング方法は、下記の全て又は位置を含んでもよい。
【００５２】
２１０において、ネットワーク装置は、端末装置に第１シグナリングを送信する。
【００５３】
２２０において、端末装置は、ネットワーク装置からの該第１シグナリングを受信する。
【００５４】
ここで、該第１シグナリングは、Ｍ個のビームのビーム情報を含み、Ｍは正整数である。
【００５５】
該第１シグナリングは、例えば、下り制御チャネルＰＤＣＣＨ又は無線リソース制御（Ｒａｄｉｏ  Ｒｅｓｏｕｒｃｅ  Ｃｏｎｔｒｏｌ：ＲＲＣ）シグナリングであってもよい。
【００５６】
任意選択的に、該第１シグナリングに含まれる各ビームのビーム情報は、サウンディング基準信号（Ｓｏｕｎｄｉｎｇ  Ｒｅｆｅｒｅｎｃｅ  Ｓｉｇｎａｌ：ＳＲＳ）リソースインデックスである。
【００５７】
任意選択的に、２２０の前に、該端末装置は、該Ｍの値を取得する必要がある。例えば、端末装置は、該ネットワーク装置により送信される、Ｍの値を示すための第２指示情報を受信するか、又は、該端末装置は、該端末装置に予め記憶されたＭの値を取得する。
【００５８】
つまり、Ｍの値は、ネットワーク装置により端末装置のために設定されたものである。又は、Ｍの値は、端末装置とネットワークとで予め取り決められて該端末装置に予め記憶されたものであり、例えば、プロトコルにより取り決められた値である。
【００５９】
２３０において、該端末装置は、該第１シグナリングに基づいて、該Ｍ個のビームのうちの全て又は一部のビームに対してキャリアのセンシングを行う。
【００６０】
任意選択的に、該端末装置は、該第１シグナリングに基づいて、該Ｍ個のビームに対してキャリアのセンシングを順次行うことができる。又は、該端末装置は、前記Ｍ個のビームに対して同時にキャリアのセンシングを行うことができる。詳細は後述する。
【００６１】
任意選択的に、２３０において該Ｍ個のビームのうちの全て又は一部のビームに対してキャリアのセンシングを行うことは、該Ｍ個のビームのうちの全て又は一部のビームに対して指向的なキャリアのセンシングを行うことであってもよい。例えば、あるビームについて、該ビームの第１センシング方向及び／又は該ビームの第２センシング方向に対してキャリアのセンシングを行うことができる。該第１センシング方向は例えば、該ビームを利用してネットワークにデータを送信する方向であり、該第２センシング方向は例えば、該第１センシング方向の逆方向である。
【００６２】
２４０において、端末装置は、センシング結果に基づいて、該全て又は一部のビームのうちの１つのビームを選択して該ネットワーク装置に上りチャネルを送信する。
【００６３】
２５０において、該ネットワーク装置は、該端末装置により該Ｍ個のビームのうちの１つのビームを利用して送信された上りチャネルを受信する。
【００６４】
例えば、端末装置は、異なるビームで検出したチャネル状態（ビジーであるか又はアイドルである）に基づいて、該Ｍ個のビームから１つのビームを選択し、該ビームを利用してネットワーク装置に上りチャネルを送信し、ネットワーク装置は、該ビームを利用して端末装置からの該上りチャネルを受信する。
【００６５】
本出願の実施例において、１つの信号の受信に使用されるビームは、１つの信号の受信に用いられる空間領域受信フィルタ（Ｓｐａｔｉａｌ  ｄｏｍａｉｎ  ｒｅｃｅｐｔｉｏｎ  ｆｉｌｔｅｒ）と理解されてもよく、１つの信号の送信に使用されるビームは、１つの信号の送信に用いられる空間領域伝送フィルタ（Ｓｐａｔｉａｌ  ｄｏｍａｉｎ  ｔｒａｎｓｍｉｓｓｉｏｎ  ｆｉｌｔｅｒ）と理解されてもよいことが、理解されるべきである。同じ空間領域送信フィルタを用いて送信された２つの信号については、該２つの信号は、空間受信パラメータに対して準共存（Ｑｕａｓｉ−Ｃｏ−Ｌｏｃａｔｅｄ：ＱＣＬ）したものである。
【００６６】
任意選択的に、該上りチャネルは、物理上り共有チャネル（Ｐｈｙｓｉｃａｌ  Ｕｐｌｉｎｋ  Ｓｈａｒｅｄ  Ｃｈａｎｎｅｌ：ＰＵＳＣＨ）又は物理上り制御チャネル（Ｐｈｙｓｉｃａｌ  Ｕｐｌｉｎｋ  Ｃｏｎｔｒｏｌ  Ｃｈａｎｎｅｌ：ＰＵＣＣＨ）である。
【００６７】
２３０において、端末装置は、Ｍ個のビームのうちの全て又は一部のビームに対してキャリアのセンシングを行う。具体的には、下記２つの方式で行う。以下、それぞれ説明する。
【００６８】
方式１
任意選択的に、２３０において、前記端末装置が前記第１シグナリングに基づいて前記Ｍ個のビームのうちの全て又は一部についてキャリアのセンシングを行うことは、該端末装置が、Ｎ番目のビームにおいてチャネルがアイドルであることが検出されるまで、該第１シグナリングに基づいて、該Ｍ個のビームに対してキャリアのセンシングを順次行うことを含む。
【００６９】
ここで、ＮはＭ以下の正整数である。
【００７０】
端末装置は、該Ｍ個のビームに対してキャリアのセンシングを順次行う時、例えば、該Ｍ個のビームの優先度に基づいて、優先度の降順に従い、該Ｍ個のビームに対してキャリアのセンシングを順次行うことができる。
【００７１】
Ｍ個のビームの優先度は、例えば、ネットワーク装置により各ビームにおける、基準信号の信号品質又は基準信号の受信電力のような信号測定結果に基づいて決定されたものであってもよく、ここで限定しない。
【００７２】
なお、２４０において、該端末装置がセンシング結果に基づいて、該Ｍ個のビームのうちの１つのビームを選択して該ネットワーク装置に上りチャネルを送信することは、該端末装置が該Ｎ番目のビームを利用して該ネットワーク装置に上りチャネルを送信することを含む。
【００７３】
なお、２５０において、該ネットワーク装置が、該端末装置により該Ｍ個のビームのうちの１つのビームを利用して送信された上りチャネルを受信することは、該ネットワーク装置が、該端末装置により該Ｍ個のビームのうちのＮ番目のビームを利用して送信された上りチャネルを受信することを含む。ここで、該Ｎ番目のビームは、該端末装置が前記Ｍ個のビームに対してキャリアのセンシングを順次行い、チャネルがアイドルであることが検出される時に対応するビームであり、Ｎは、Ｍ以下の正整数である。
【００７４】
例えば、端末装置は、最初のビームから、キャリアのセンシングを開始する。最初からＮ−１番目までのビームに対してセンシングを行う過程において、アイドルチャネルが検出されず、つまり、チャネルがいずれも占用されており、Ｎ番目のビームにおいてアイドルチャネルが検出された場合、端末装置は、残りのビームに対するセンシングを中止して、該Ｎ番目のビームを利用して上りチャネルを送信することができる。
【００７５】
端末装置は、Ｎ番目のビームにおけるチャネルがアイドルであることを検出する。例えば、該ビームで送信された基準信号の電力は所定の閾値未満である。この場合、該ビームにおけるチャネルがアイドルであると認められる。
【００７６】
例として、Ｍ＝４とし、４つの候補ビームは、それぞれビームＢ１、ビームＢ２、ビームＢ３及びビームＢ４であり、且つ優先度は、ビームＢ１＞ビームＢ２＞ビームＢ３＞ビームＢ４である。従って、端末装置は、まず、ビームＢ１においてキャリアのセンシングを行う。ビームＢ１にアイドルチャネルがなければ、引き続きビームＢ２においてキャリアのセンシングを行う。ビームＢ２においてアイドルチャネルを検出した場合、センシングを中止し、ビームＢ２を用いてネットワーク装置に上りチャネルを送信する。ビームＢ２においてアイドルチャネルが検出されなければ、引き続きビームＢ３においてキャリアのセンシングを行う。ビームＢ３においてアイドルチャネルを検出した場合、センシングを中止し、ビームＢ３を用いてネットワーク装置に上りチャネルを送信する。ビームＢ３においてアイドルチャネルが検出されなければ、引き続きビームＢ４においてキャリアのセンシングを行う。ビームＢ４においてアイドルチャネルを検出した場合、ビームＢ４を用いてネットワーク装置に上りチャネルを送信する。ビームＢ４においてアイドルチャネルが依然として検出されなければ、該上りチャネルの送信を遅延させることができる。
【００７７】
任意選択的に、該Ｎ番目のビームを含む、キャリアのセンシングが行われたＮ個のビームは、Ｎ個のセンシングウィンドウに１対１で対応し、該端末装置が該Ｎ個のビームのうちの各ビームにおいてキャリアのセンシングを行うために用いられるセンシングウィンドウは、前記各ビームに対応するセンシングウィンドウである。
【００７８】
該端末装置は、Ｎ個のビームに対してセンシングを行う場合、それぞれ異なるセンシングウィンドウにおいてセンシングを行う。各ビームにに対してセンシングを行う時、該ビームに対応するセンシングウィンドウにおいてセンシングを行う。
【００７９】
任意選択的に、該Ｎ個のビームに対応するＮ個のセンシングウィンドウは、長さが同じであっても異なってもよい。
【００８０】
任意選択的に、該Ｎ個のビームに対応するＮ個のセンシングウィンドウは、時間的に、連続して分布したものである。
【００８１】
例えば、Ｎ＝３とし、端末装置は、ビームＢ３である３番目のビームまでセンシングした時にアイドルチャネルが検出した。センシングされた該３つのビームはそれぞれビームＢ１、ビームＢ２及びビームＢ３であり、優先度は、ビームＢ１＞ビームＢ２＞ビームＢ３である。ビームＢ１に対応するセンシングウィンドウはＷ１であり、ビームＢ２に対応するセンシングウィンドウはＷ２であり、ビームＢ３に対応するセンシングウィンドウは、Ｗ３であり、これら３つのセンシングウィンドウは、時間順に従って順にＷ１、Ｗ２及びＷ３である。なお、端末装置は、Ｗ１、Ｗ２及びＷ３内に、それぞれビームＢ１、ビームＢ２及びビームＢ３において順にセンシングする。
【００８２】
任意選択的に、２２０の前に、即ち該端末装置が該Ｍ個のビームにおいて指向的なキャリアのセンシングを行う前に、該方法は、該端末装置が、該ネットワーク装置により送信される、各センシングウィンドウの情報を示すための第１指示情報を受信するか、又は、該端末装置が、該端末装置に予め記憶された該各センシングウィンドウの情報を取得することを更に含む。
【００８３】
ここで、任意選択的に、該各センシングウィンドウの情報は、各センシングウィンドウの時間長及び／又は各センシングウィンドウの開始時間位置を含む。
【００８４】
つまり、各センシングウィンドウの時間長及び／又は開始時間位置は、ネットワーク装置により端末装置のために設定されたものである。又は、Ｓ端末装置とネットワークとで予め取り決められて該端末装置に予め記憶されたものであり、例えば、プロトコルにより該センシングウィンドウの時間長及び／又は開始時間位置が取り決められた。
【００８５】
任意選択的に、該第１シグナリングは、第１時間長及び／又は第２時間長の情報を更に含む。
【００８６】
ここで、該第１時間長は、該ネットワーク装置から該端末装置に送信された物理下り制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）が所在するタイムスロット、開始時間領域シンボル又は終了時間領域シンボルと、第１センシングウィンドウの開始時刻との間の時間長であり、前記第１センシングウィンドウは、前記Ｎ個のビームのうちの最初にセンシングするビームに対応するセンシングウィンドウである。
【００８７】
ここで、該第２時間長は、該端末装置により該ネットワーク装置に送信されたＰＵＳＣＨが所在するタイムスロット又は終了時間領域シンボルと、下りフィードバックチャネルが所在するタイムスロット又は開始時間領域シンボルとの間の時間長であり、前記下りフィードバックチャネルは、前記端末装置からネットワーク装置への前記ＰＵＳＣＨに関するフィードバック応答情報の送信に用いられる。
【００８８】
以下、図３及び図４を例として、第１時間長及び第２時間長を説明する。
【００８９】
図３に示すように、Ｎ＝２とし、端末装置が２番目のビームまでセンシングした時にアイドルチャネルを検出した。センシングされた該２つのビームはそれぞれビームＢ１及びビームＢ２である。ビームＢ１に対応するセンシングウィンドウは、Ｗ１であり、ビームＢ２に対応するセンシングウィンドウは、Ｗ２である。ネットワーク装置により端末装置に送信されたＰＤＣＣＨと、センシングウィンドウＷ１との時間間隔は、第１時間長Ｔ１に等しい。端末装置は、該ＰＤＣＣＨを受信してからＴ１時間長を経過した後、キャリアのセンシングを開始する。まず、Ｗ１内に、ビームＢ１においてセンシングを行う。アイドルチャネルが検出されていないため、Ｗ２内に、ビームＢ２においてセンシングを行い、アイドルチャネルが検出された。従って、該端末装置は、ビームＢ２を用いてネットワーク装置にＰＵＳＣＨを送信する。該ネットワーク装置は、端末装置によりビームＢ２を用いて送信された該ＰＵＳＣＨを受信してから、Ｔ２時間長を経過した後、該端末装置に、肯定応答（ＡＣＫｎｏｗｌｅｄｇｅｍｅｎｔ：ＡＣＫ）又は否定応答（Ｎｅｇａｔｉｖｅ  ＡＣＫ：ＮＡＣＫ）メッセージのような該ＰＵＳＣＨに関するフィードバック応答メッセージを送信する。
【００９０】
また、図４に示すように、Ｎ＝３とし、端末装置が３番目のビームまでセンシングした時にアイドルチャネルを検出した。センシングされた該３つのビームはそれぞれビームＢ１、ビームＢ２及びビームＢ３である。ビームＢ１に対応するセンシングウィンドウは、Ｗ１であり、ビームＢ２に対応するセンシングウィンドウは、Ｗ２であり、ビームＢ３に対応するセンシングウィンドウは、Ｗ３である。ネットワーク装置により端末装置に送信されたＰＤＣＣＨと、センシングウィンドウＷ１との時間間隔は、第１時間長Ｔ１に等しい。端末装置は、該ＰＤＣＣＨを受信してからＴ１時間長を経過した後、キャリアのセンシングを開始する。まず、Ｗ１内に、ビームＢ１においてセンシングを行う。アイドルチャネルが検出されていないため、Ｗ２内に、ビームＢ２においてセンシングを行う。アイドルチャネルが検出されていないため、Ｗ３内に、ビームＢ３においてセンシングを行い、アイドルチャネルが検出された。従って、該端末装置は、ビームＢ３を用いてネットワーク装置にＰＵＳＣＨを送信する。該ネットワーク装置は、端末装置によりビームＢ３を用いて送信された該ＰＵＳＣＨを受信してから、Ｔ２時間長を経過した後、該端末装置に、ＡＣＫメッセージ又はＮＡＣＫメッセージのような該ＰＵＳＣＨに関するフィードバック応答メッセージを送信する。
【００９１】
任意選択的に、端末装置は、あるビームに対応するセンシングウィンドウ内にアイドルチャネルを検出した後、上りチャネルの送信を直ちに行うことができる。つまり、上りチャネルの送信は、センシングウィンドウの残りの時間内に行うことができる。
【００９２】
例えば、図５に示すように、該端末装置は、センシングウィンドウＷ１にビームＢ１をセンシングし、チャネルが占用されていることを発見した。続いて、該端末装置は、センシングウィンドウＷ２内にビームＢ２をセンシングし、Ｗ２内のある時刻でビームＢ２においてチャネルがアイドルであることを検出した。従って、Ｗ２内の残りの時間をＰＵＳＣＨの伝送に用いることができる。
【００９３】
従って、大きいセンシングウィンドウを設定することで、ネットワーク装置は、端末装置によるキャリアのセンシングとデータ送信を１つのセンシングウィンドウ内に完了するよう確保することができる。これにより、１つのセンシングウィンドウに対して、ネットワーク装置は、１つの受信ビームのみを使用すれば、該端末装置の送信し得る上りデータを受信することができる。
【００９４】
逆に、センシングウィンドウが短く設定された場合、端末装置は、チャネルがアイドルであることを検出した後、該センシングウィンドウ以外のところで前記上りチャネルを送信する必要がある。ネットワークは、端末装置がどのビームにおいてアイドルチャネルが検出されたかを判定することができない可能性があるため、複数のあり得るビーム方向において、端末装置の送信し得る上りデータを同時に受信する必要がある。この場合、ネットワーク装置は、複数のビーム方向における上り信号を同時に受信する能力を持つ。
【００９５】
方式２
任意選択的に、２３０において、前記端末装置が前記第１シグナリングに基づいて前記Ｍ個のビームのうちの全て又は一部のビームに対してキャリアのセンシングを行うことは、前記端末装置が、前記Ｍ個のビームに対して同時にキャリアのセンシングを行うことを含む。
【００９６】
例えば、端末装置は、キャリアのセンシングを行うために、同時に複数又は全ての受信パネル（ｐａｎｎｅｌ）を起動する。
【００９７】
なお、２４０において、前記端末装置が、センシング結果に基づいて、前記全て又は一部のビームのうちの１つのビームを選択して、前記ネットワーク装置に上りチャネルを送信することは、前記端末装置が、検出された、チャネルがアイドルであるビームを利用して、前記ネットワーク装置に上りチャネルを送信することを含む。
【００９８】
なお、２５０において、該ネットワーク装置が、該端末装置により該Ｍ個のビームのうちの１つのビームを利用して送信された上りチャネルを受信することは、ネットワーク装置が、前記端末装置により前記Ｍ個のビームのうちの検出された、チャネルがアイドルであるビームを利用して送信された上りチャネルを受信し、ここで、前記端末装置が、前記Ｍ個のビームに対して同時にキャリアのセンシングを行うことを含む。
【００９９】
従って、本出願の実施例において、ネットワーク装置が、端末装置のために、上りチャネル送信用の複数の候補ビームを設定し、端末装置が、複数の候補ビームにおいてキャリアのセンシングを行い、センシング結果に基づいて好適なビームを選択して上りチャネルを送信することで、アンライセンス帯域における上りチャネルの伝送遅延を大幅に低下させることができる。
【０１００】
なお、本出願の各実施例において、上記各過程に付けた番号の大きさは実行順番を意味しているものではなく、各過程の実行順番はその機能と内部ロジックにより決定されるべき、本発明の実施例の実施過程を限定するものではないと理解されるべきである。
【０１０１】
以上、本出願の実施例による上り制御情報伝送方法を詳しく説明したが、以下、図６から図９を参照しつつ、本出願の実施例による装置を説明し、方法の実施例で説明した技術的特徴は以下の装置の実施例に適用される。
【０１０２】
図６は、本出願の実施例による端末装置６００を示す模式的ブロック図である。図６に示すように、該端末装置６００は、送受信ユニット６１０と、センシングユニット６２０とを備える。ここで、
送受信ユニット６１０は、ネットワーク装置からの第１シグナリングを受信するように構成され、前記第１シグナリングがＭ個のビームのビーム情報を含み、Ｍが正整数であり、
センシングユニット６２０は、前記第１シグナリングに基づいて、前記Ｍ個のビームに対してキャリアのセンシングを順次行うように構成され、
前記送受信ユニット６１０は更に、センシング結果に基づいて、前記Ｍ個のビームのうちの１つのビームを選択して前記ネットワーク装置に上りチャネルを送信するように構成される。
【０１０３】
従って、ネットワーク装置が、端末装置のために、上りチャネル送信用の複数の候補ビームを設定し、端末装置が、複数の候補ビームにおいてキャリアのセンシングを行い、センシング結果に基づいて好適なビームを選択して上りチャネルを送信することで、アンライセンス帯域における上りチャネルの伝送遅延を大幅に低下させることができる。
【０１０４】
任意選択的に、前記ビーム情報は、サウンディング基準信号（ＳＲＳ）リソースインデックスである。
【０１０５】
任意選択的に、前記上りチャネルは、物理上り共有チャネル（ＰＵＳＣＨ）又は物理上り制御チャネル（ＰＵＣＣＨ）である。
【０１０６】
任意選択的に、前記センシングユニット６２０は具体的には、Ｎ番目のビームにおいてチャネルがアイドルであることが検出されるまで、前記第１シグナリングに基づいて、前記Ｍ個のビームに対してキャリアのセンシングを順次行うように構成され、ＮがＭ以下の正整数であり、
ここで、前記送受信ユニット６１０は具体的には、前記Ｎ番目のビームを利用して前記ネットワーク装置に上りチャネルを送信するように構成される。
【０１０７】
任意選択的に、前記センシングユニット６２０は具体的には、前記Ｍ個のビームの優先度に基づいて、優先度の降順に従い、前記Ｍ個のビームに対してキャリアのセンシングを順次行うように構成される。
【０１０８】
任意選択的に、前記Ｎ番目のビームを含む、キャリアのセンシングが行われたＮ個のビームは、Ｎ個のセンシングウィンドウに１対１で対応し、前記端末装置が前記Ｎ個のビームのうちの各ビームにおいてキャリアのセンシングを行うために用いられるセンシングウィンドウは、前記各ビームに対応するセンシングウィンドウである。
【０１０９】
任意選択的に、前記Ｎ個のセンシングウィンドウは、連続したＮ個のセンシングウィンドウである。
【０１１０】
任意選択的に、前記センシングユニット６２０は更に、前記送受信ユニット６１０により、前記ネットワーク装置により送信される、各センシングウィンドウの情報を示すための第１指示情報を受信するか、又は、前記端末装置に予め記憶された前記各センシングウィンドウの情報を取得するように構成される。
【０１１１】
任意選択的に、前記各センシングウィンドウの情報は、前記各センシングウィンドウの時間長及び／又は前記各センシングウィンドウの開始時間位置を含む。
【０１１２】
任意選択的に、前記上りチャネルは、ＰＵＳＣＨであり、前記第1シグナリングは、第１時間長の情報を更に含み、ここで、前記第１時間長は、前記ネットワーク装置により前記端末装置に送信される物理下り制御チャネル（ＰＤＣＣＨ）が所在するタイムスロット、開始時間領域シンボル又は終了時間領域シンボルと、第１センシングウィンドウの開始時刻との間の時間長であり、前記第１センシングウィンドウは、前記Ｎ個のビームのうちの最初にセンシングするビームに対応するセンシングウィンドウである。
【０１１３】
任意選択的に、前記上りチャネルは、ＰＵＳＣＨであり、前記第１シグナリングは、第２時間長の情報を更に含み、ここで、前記第２時間長は、前記端末装置により前記ネットワーク装置に送信されるＰＵＳＣＨが所在するタイムスロット又は終了時間領域シンボルと、下りフィードバックチャネルが所在するタイムスロット又は開始時間領域シンボルとの間の時間長であり、前記下りフィードバックチャネルは、前記端末装置からネットワーク装置への前記ＰＵＳＣＨに関するフィードバック応答情報の送信に用いられる。
【０１１４】
前記センシングユニット６２０は具体的には、前記Ｍ個のビームに対して同時にキャリアのセンシングを行うように構成され、
ここで、前記送受信ユニット６１０は具体的には、前記端末装置が、検出された、チャネルがアイドルであるビームを利用して、前記ネットワーク装置に上りチャネルを送信するように構成される。
【０１１５】
任意選択的に、前記センシングユニット６２０は更に、前記送受信ユニット６１０により、前記ネットワーク装置により送信される、Ｍの値を示すための第２指示情報を受信するか、又は、前記端末装置に予め記憶されたＭの値を取得するように構成される。
【０１１６】
該端末装置６００は、上記方法２００における端末装置により実行された操作を実行することができ、説明の便宜のために、ここで詳細な説明を省略することが理解されるべきである。
【０１１７】
図７は、本出願の実施例によるネットワーク装置７００を示す模式的ブロック図である。図７に示すように、該ネットワーク装置７００は、
端末装置に第１シグナリングを送信し、前記第１シグナリングがＭ個のビームのビーム情報を含み、Ｍが正整数であり、前記端末装置により前記Ｍ個のビームのうちの１つのビームを利用して送信された上りチャネルを受信するように構成される送受信ユニット７１０を備える。
【０１１８】
従って、ネットワーク装置が、端末装置のために、上りチャネル送信用の複数の候補ビームを設定し、端末装置が、複数の候補ビームにおいてキャリアのセンシングを行い、センシング結果に基づいて好適なビームを選択して上りチャネルを送信することで、アンライセンス帯域における上りチャネルの伝送遅延を大幅に低下させることができる。
【０１１９】
任意選択的に、前記ビーム情報は、サウンディング基準信号（ＳＲＳ）リソースインデックスである。
【０１２０】
任意選択的に、前記上りチャネルは、物理上り共有チャネル（ＰＵＳＣＨ）又は物理上り制御チャネル（ＰＵＣＣＨ）である。
【０１２１】
任意選択的に、前記送受信ユニット７１０は具体的には、前記端末装置により前記Ｍ個のビームのうちのＮ番目のビームを利用して送信された上りチャネルを受信するように構成され、前記Ｎ番目のビームは、前記端末装置が前記Ｍ個のビームに対してキャリアのセンシングを順次行い、チャネルがアイドルであることが検出される時に対応するビームであり、Ｎが、Ｍ以下の正整数である。
【０１２２】
任意選択的に、前記Ｎ番目のビームを含む、キャリアのセンシングが行われたＮ個のビームは、Ｎ個のセンシングウィンドウに１対１で対応し、前記端末装置が前記Ｎ個のビームのうちの各ビームにおいてキャリアのセンシングを行うために用いられるセンシングウィンドウは、前記各ビームに対応するセンシングウィンドウである。
【０１２３】
任意選択的に、前記Ｎ個のセンシングウィンドウは、連続したＮ個のセンシングウィンドウである。
【０１２４】
任意選択的に、前記送受信ユニット７１０は更に、前記端末装置に、各センシングウィンドウの情報を示すための第１指示情報を送信するように構成される。
【０１２５】
任意選択的に、前記各センシングウィンドウの情報は、前記各センシングウィンドウの時間長及び／又は前記各センシングウィンドウの開始時間位置を含む。
【０１２６】
任意選択的に、前記上りチャネルは、ＰＵＳＣＨであり、前記第1シグナリングは、第１時間長の情報を更に含み、ここで、前記第１時間長は、前記ネットワーク装置により前記端末装置に送信される物理下り制御チャネル（ＰＤＣＣＨ）が所在するタイムスロット、開始時間領域シンボル又は終了時間領域シンボルと、第１センシングウィンドウの開始時刻との間の時間長であり、前記第１センシングウィンドウは、前記Ｎ個のビームのうちの最初にセンシングするビームに対応するセンシングウィンドウである。
【０１２７】
任意選択的に、前記上りチャネルは、ＰＵＳＣＨであり、前記第１シグナリングは、第２時間長の情報を更に含み、ここで、前記第２時間長は、前記端末装置により前記ネットワーク装置に送信されるＰＵＳＣＨが所在するタイムスロット又は終了時間領域シンボルと、下りフィードバックチャネルが所在するタイムスロット又は開始時間領域シンボルとの間の時間長であり、前記下りフィードバックチャネルは、前記端末装置からネットワーク装置への前記ＰＵＳＣＨに関するフィードバック応答情報の送信に用いられる。
【０１２８】
任意選択的に、前記送受信ユニット７１０は具体的には、前記端末装置により前記Ｍ個のビームのうちの検出された、チャネルがアイドルであるビームを利用して送信された上りチャネルを受信するように構成され、ここで、前記端末装置が、前記Ｍ個のビームに対して同時にキャリアのセンシングを行う。
【０１２９】
任意選択的に、前記送受信ユニット７１０は更に、前記端末装置に、Ｍの値を示すための第２指示情報を送信するように構成される。
【０１３０】
該ネットワーク装置７００は、上記方法２００におけるネットワーク装置により実行された操作を実行することができ、説明の便宜のために、ここで詳細な説明を省略することが理解されるべきである。
【０１３１】
図８は、本出願の実施例による通信装置８００の構成を示す模式図である。図８に示すように、該通信装置は、プロセッサ８１０と、送受信機８２０と、メモリ８３０とを備え、該プロセッサ８１０、送受信機８２０及びメモリ８３０は、内部接続通路を介して相互通信する。該メモリ８３０は、命令を記憶するように構成され、該プロセッサ８１０は、該メモリ８３０に記憶されている命令を実行し、該送受信機８２０による信号の送受信を制御するように構成される。
【０１３２】
任意選択的に、該プロセッサ８１０は、メモリ８３０に記憶されているプログラムコードを呼び出して、方法２００における端末装置により実行された操作を実行することができ、説明の便宜のために、ここで詳細な説明を省略する。
【０１３３】
任意選択的に、該プロセッサ８１０は、メモリ８３０に記憶されているプログラムコードを呼び出して、方法３００におけるネットワーク装置により実行された操作を実行することができ、説明の便宜のために、ここで詳細な説明を省略する。
【０１３４】
本出願の実施例におけるプロセッサは、信号処理能力を持つ集積回路チップであってもよく、実現プロセスにおいて、上記方法の実施例における各ステップは、プロセッサにおけるハードウェアの集積論理回路又はソフトウェアの形の命令により完成することができることが理解されるべきである。上記プロセッサは、汎用プロセッサ、デジタル信号プロセッサ（Ｄｉｇｉｔａｌ  Ｓｉｇｎａｌ  Ｐｒｏｃｅｓｓｏｒ：ＤＳＰ）、特定用途向け集積回路（Ａｐｐｌｉｃａｔｉｏｎ  Ｓｐｅｃｉｆｉｃ  Ｉｎｔｅｒｇｒａｔｅｄ  Ｃｉｒｃｕｉｔ：ＡＳＩＣ）、現場でプログラム可能なゲートアレイ（Ｆｉｅｌｄ  Ｐｒｏｇｒａｍｍａｂｌｅ  Ｇａｔｅ  Ａｒｒａｙ：ＦＰＧＡ）又は他のプログラマブルロジックデバイス、ディスクリートゲート又はトランジスタロジックデバイス、ディスクリートハードウェアコンポーネント等であってもよい。本出願の実施例に開示されている各方法、ステップ及び論理ブロック図を実現又は実行することができる。汎用プロセッサはマイクロプロセッサであってもよいし、該プロセッサは如何なる従来のプロセッサ等であってもよい。本出願の実施例に開示されている方法のステップを結合して、ハードウェア解読プロセッサによって完成し、又は解読プロセッサ内のハードウェアとソフトウェアモジュールとの組み合わせで実行して完成するように示す。ソフトウェアモジュールは、ランダムアクセスメモリ、フラッシュメモリ、読み取り専用メモリ、プログラマブル読み取り専用メモリ又は電気的消去プログラム可能なメモリ、レジスタ等の本分野の従来の記憶媒体内に存在してもよい。該記憶媒体はメモリ内に位置し、プロセッサはメモリ中の情報を読み取り、そのハードウェアと共に上記方法のプロセスを完了する。
【０１３５】
本出願の実施例におけるメモリは、揮発性または不揮発性メモリであってもよいし、揮発性メモリと不揮発性メモリの両者をそなえてもよい。ここで、不揮発性メモリは、読み出し専用メモリ（Ｒｅａｄ-ｏｎｌｙ Ｍｅｍｏｒｙ：ＲＯＭ）、プログラマブル読み出し専用メモリ（Ｐｒｏｇｒａｍｍａｂｌｅ  ＲＯＭ：ＰＲＯＭ）、消去可能なプログラマブル読み出し専用メモリ（Ｅｒａｓａｂｌｅ  ＰＲＯＭ：ＥＰＲＯＭ）、電気的消去可能なプログラマブル読み出し専用メモリ（Ｅｌｅｃｔｒｉｃａｌｌｙ  ＥＰＲＯＭ：ＥＥＰＲＯＭ）又はフラッシュメモリであってもよい。揮発性メモリは、外部キャッシュメモリとして機能するランダムアクセスメモリ（Ｒａｎｄｏｍ  Ａｃｃｅｓｓ  Ｍｅｍｏｒｙ：ＲＡＭ）であってもよい。非限定的な例証として、ＲＡＭは、スタティックランダムアクセスメモリ（Ｓｔａｔｉｃ  ＲＡＭ：ＳＲＡＭ）、ダイナミックランダムアクセスメモリ（Ｄｙｎａｍｉｃ  ＲＡＭ：ＤＲＡＭ）、同期ダイナミックランダムアクセスメモリ（Ｓｙｎｃｈｒｏｎｏｕｓ  ＤＲＡＭ：ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ：ＤＤＲ  ＳＤＲＡＭ）、エンハンスト同期ダイナミックランダムアクセスメモリ（Ｅｎｈａｎｃｅｄ  ＳＤＲＡＭ：ＥＳＤＲＡＭ）、同期リンクダイナミックランダムアクセスメモリ（Ｓｙｎｃｈｌｉｎｋ  ＤＲＡＭ：ＳＬＤＲＡＭ）及びダイレクトラムバスランダムアクセスメモリ（Ｄｉｒｅｃｔ  Ｒａｍｂｕｓ  ＲＡＭ：ＤＲ  ＲＡＭ）などの多数の形態で使用可能である。本明細書に記載されているシステム及び方法におけるメモリは、これら及び任意の他の適切な形態のメモリを含むが、これらに限定されないことに留意されたい。
【０１３６】
図９は本出願の実施例のシステムシステムチップを示す模式的構成図である。図９のシステムチップ９００は入力インタフェース９０１と、出力インタフェース９０２と、少なくとも１つのプロセッサ９０３と、メモリ９０４と、を備え、前記入力インタフェース９０１、出力インタフェース９０２、前記プロセッサ９０３及びメモリ９０４は内部接続通路を介して相互接続する。前記プロセッサ９０３は、前記メモリ９０４におけるコードを実行するためのものである。
【０１３７】
任意選択的に、前記コードが実行される時、前記プロセッサ９０３は方法２００における端末装置により実行された操作を実現させることができる。説明の便宜のために、ここで詳細な説明を省略する。
【０１３８】
任意選択的に、前記コードが実行される時、前記プロセッサ９０３は方法２００におけるネットワーク装置により実行された操作を実現させることができる。説明の便宜のために、ここで詳細な説明を省略する。
【０１３９】
本発明の実施例において、「Ａに対応（相応）するＢ」は、ＢとＡが関連付けられており、Ａに基づいてＢを決定することができることを表すことが理解されるべきである。なお、Ａに基づいてＢを決定することは、Ａのみに基づいてＢを決定することを意味しておらず、Ａ及び／又は他の情報に基づいてＢを決定することもできることを意味することが理解されるべきである。
【０１４０】
当業者であれば、本明細書に開示されている実施例に関係して記載された種々の例示的なユニット及びアルゴリズムステップは、電子ハードウエア、又はコンピュータソフトウエアと電子ハードウエアとの組み合わせとして実現されることが理解され得る。ハードウェアとソフトウェアとのどちらで、これらの機能を実行するかは、技術的解決手段の特定の応用及び設計上の制限条件により決められる。当業者は、特定の用途毎に記載の機能を実現するために異なる方法を使用してもよいが、この実現が本発明の範囲を超えるものとして考えられるべきではない。
【０１４１】
説明上の便宜及び簡素化を図るために、上記説明されたシステム、装置及びユニットの具体的な作動過程は、前記方法の実施例における対応した過程を参照することができるから、ここで詳しく説明しないようにすることは、当業者にはっきり理解されるべきである。
【０１４２】
本発明で提供する幾つかの実施例で開示したシステム、装置及び方法は、他の方式によって実現できることを理解すべきである。例えば、以上に記載した装置の実施例はただ例示的なもので、例えば、前記ユニットの分割はただロジック機能の分割で、実際に実現する時は他の分割方式によってもよい。例えば、複数のユニット又は組立体を組み合わせてもよいし、別のシステムに組み込んでもよい。又は若干の特徴を無視してもよいし、実行しなくてもよい。また、示したか或いは検討した相互間の結合又は直接的な結合又は通信接続は、幾つかのインターフェイス、装置又はユニットによる間接的な結合又は通信接続であってもよく、電気的、機械的または他の形態であってもよい。
【０１４３】
分離部材として説明した該ユニットは、物理的に別個のものであってもよいし、そうでなくてもよい。ユニットとして示された部材は、物理的ユニットであってもよいし、そうでなくてもよい。即ち、同一の位置に位置してもよいし、複数のネットワークに分布してもよい。実際の需要に応じてそのうちの一部又は全てのユニットにより本実施例の方策の目的を実現することができる。
【０１４４】
また、本発明の各実施例における各機能ユニットは一つのモニタリングユニットに集積されてもよいし、各ユニットが物理的に別個のものとして存在してもよいし、２つ以上のユニットが一つのユニットに集積されてもよい。
【０１４５】
該機能はソフトウェア機能ユニットの形で実現され、かつ独立した製品として販売または使用されるとき、コンピュータにより読み取り可能な記憶媒体内に記憶されてもよい。このような理解のもと、本発明の技術的解決手段は、本質的に、又は、従来技術に対して貢献をもたらした部分又は該技術的解決手段の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の方法の全部又は一部のステップを実行させるための若干の命令を含む。前記の記憶媒体は、Ｕディスク、リムーバブルハードディスク、読み出し専用メモリ（Ｒｅａｄ−ｏｎｌｙ  Ｍｅｍｏｒｙ：ＲＯＭ）、ランダムアクセスメモリ（Ｒａｎｄｏｍ  Ａｃｃｅｓｓ  Ｍｅｍｏｒｙ：ＲＡＭ）、ディスク、又は光ディスクなど、プログラムコードを記憶可能な各種の媒体を含む。
【０１４６】
以上は本発明の具体的な実施形態に過ぎず、本発明の保護の範囲はそれらに制限されるものではなく、当業者が本発明に開示された技術範囲内で容易に想到しうる変更や置換はいずれも、本発明の保護範囲内に含まれるべきである。従って、本発明の保護範囲は特許請求の範囲の保護範囲を基準とするべきである。
【図１】
2021517387.tif 000003
【図２】
2021517387.tif 000004
【図３】
2021517387.tif 000005
【図４】
2021517387.tif 000006
【図５】
2021517387.tif 000007
【図６】
2021517387.tif 000008
【図７】
2021517387.tif 000009
【図８】
2021517387.tif 000010
【図９】
2021517387.tif 000011
【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
上りデータのスケジューリングであって、
端末装置が、ネットワーク装置からの第１シグナリングを受信し、前記第１シグナリングがＭ個のビームのビーム情報を含み、Ｍが正整数であることと、
前記端末装置が、前記第１シグナリングに基づいて、前記Ｍ個のうちの全て又は一部のビームに対してキャリアのセンシングを行うことと、
前記端末装置が、センシング結果に基づいて、前記全て又は一部のビームのうちの１つのビームを選択して、前記ネットワーク装置に上りチャネルを送信することとを含む、前記方法。
【請求項２】
前記ビーム情報は、サウンディング基準信号（ＳＲＳ）リソースインデックスであり、及び／又は、
前記上りチャネルは、物理上り共有チャネル（ＰＵＳＣＨ）又は物理上り制御チャネル（ＰＵＣＣＨ）であることを特徴とする
請求項１に記載の方法。
【請求項３】
前記端末装置が、前記第１シグナリングに基づいて前記Ｍ個のビームのうちの全部又は一部のビームに対してキャリアのセンシングを行うことは、
前記端末装置が、Ｎ番目のビームにおいてチャネルがアイドルであることが検出されるまで、前記第１シグナリングに基づいて、前記Ｍ個のビームに対してキャリアのセンシングを順次行い、ＮがＭ以下の正整数であることを含み、
ここで、前記端末装置がセンシング結果に基づいて、前記全部又は一部のビームのうちの１つのビームを選択して前記端末装置に上りチャネルを送信することは、
前記端末装置が、前記Ｎ番目のビームを利用して前記ネットワーク装置に上りチャネルを送信することを含むことを特徴とする
請求項１又は２に記載の方法。
【請求項４】
前記端末装置が前記第１シグナリングに基づいて前記Ｍ個のビームに対してキャリアのセンシングを順次行うことは、
前記端末装置が、前記Ｍ個のビームの優先度に基づいて、優先度の降順に従い、前記Ｍ個のビームに対してキャリアのセンシングを順次行うことを含むことを特徴とする
請求項３に記載の方法。
【請求項５】
前記Ｎ番目のビームを含む、キャリアのセンシングが行われたＮ個のビームは、Ｎ個のセンシングウィンドウに１対１で対応し、前記端末装置が前記Ｎ個のビームのうちの各ビームにおいてキャリアのセンシングを行うために用いられるセンシングウィンドウは、前記各ビームに対応するセンシングウィンドウであり、
前記Ｎ個のセンシングウィンドウは、連続したＮ個のセンシングウィンドウであることを特徴とする
請求項４に記載の方法。
【請求項６】
前記上りチャネルは、ＰＵＳＣＨであり、前記第1シグナリングは、第１時間長の情報を更に含み、
ここで、前記第１時間長は、前記ネットワーク装置により前記端末装置に送信される物理下り制御チャネル（ＰＤＣＣＨ）が所在するタイムスロット、開始時間領域シンボル又は終了時間領域シンボルと、第１センシングウィンドウの開始時刻との間の時間長であり、前記第１センシングウィンドウは、前記Ｎ個のビームのうちの最初にセンシングするビームに対応するセンシングウィンドウであることを特徴とする
請求項１から５のうちいずれか一項に記載の方法。
【請求項７】
前記上りチャネルは、ＰＵＳＣＨであり、前記第１シグナリングは、第２時間長の情報を更に含み、
ここで、前記第２時間長は、前記端末装置により前記ネットワーク装置に送信されるＰＵＳＣＨが所在するタイムスロット又は終了時間領域シンボルと、下りフィードバックチャネルが所在するタイムスロット又は開始時間領域シンボルとの間の時間長であり、前記下りフィードバックチャネルは、前記端末装置からネットワーク装置への前記ＰＵＳＣＨに関するフィードバック応答情報の送信に用いられることを特徴とする
請求項１から６のうちいずれか一項に記載の方法。
【請求項８】
上りデータのスケジューリング方法であって、
ネットワーク装置が、端末装置に第１シグナリングを送信し、前記第１シグナリングがＭ個のビームのビーム情報を含み、Ｍが正整数であることと、
前記ネットワーク装置が、前記端末装置により前記Ｍ個のビームのうちの１つのビームを利用して送信された上りチャネルを受信することとを含む、前記方法。
【請求項９】
前記ビーム情報は、サウンディング基準信号（ＳＲＳ）リソースインデックスであり、及び／又は、
前記上りチャネルは、物理上り共有チャネル（ＰＵＳＣＨ）又は物理上り制御チャネル（ＰＵＣＣＨ）であることを特徴とする
請求項８に記載の方法。
【請求項１０】
前記ネットワーク装置が、前記端末装置により前記Ｍ個のビームのうちの１つのビームを利用して送信された上りチャネルを受信することは、
前記ネットワーク装置が、前記端末装置により前記Ｍ個のビームのうちのＮ番目のビームを利用して送信された上りチャネルを受信し、前記Ｎ番目のビームは、前記端末装置が前記Ｍ個のビームに対してキャリアのセンシングを順次行い、チャネルがアイドルであることが検出される時に対応するビームであり、Ｎが、Ｍ以下の正整数であることを含み、
前記Ｎ番目のビームを含む、キャリアのセンシングが行われたＮ個のビームは、Ｎ個のセンシングウィンドウに１対１で対応し、前記端末装置が前記Ｎ個のビームのうちの各ビームにおいてキャリアのセンシングを行うために用いられるセンシングウィンドウは、前記各ビームに対応するセンシングウィンドウであることを特徴とする
請求項８又は９に記載の方法。
【請求項１１】
端末装置であって、
ネットワーク装置からの第１シグナリングを受信し、前記第１シグナリングがＭ個のビームのビーム情報を含み、Ｍが正整数であるように構成される送受信ユニットと、
前記第１シグナリングに基づいて、前記Ｍ個のビームに対してキャリアのセンシングを順次行うように構成されるセンシングユニットとを備え、
前記送受信ユニットは更に、センシング結果に基づいて、前記Ｍ個のビームのうちの１つのビームを選択して前記ネットワーク装置に上りチャネルを送信するように構成される、前記端末装置。
【請求項１２】
前記ビーム情報は、サウンディング基準信号（ＳＲＳ）リソースインデックスであり、及び／又は、
前記上りチャネルは、物理上り共有チャネル（ＰＵＳＣＨ）又は物理上り制御チャネル（ＰＵＣＣＨ）であることを特徴とする
請求項１１に記載の端末装置。
【請求項１３】
前記センシングユニットは具体的には、
Ｎ番目のビームにおいてチャネルがアイドルであることが検出されるまで、前記第１シグナリングに基づいて、前記Ｍ個のビームに対してキャリアのセンシングを順次行うように構成され、ＮがＭ以下の正整数であり、
ここで、前記送受信ユニットは具体的には、前記Ｎ番目のビームを利用して前記ネットワーク装置に上りチャネルを送信するように構成されることを特徴とする
請求項１１又は１２に記載の端末装置。
【請求項１４】
前記センシングユニットは具体的には、
前記Ｍ個のビームの優先度に基づいて、優先度の降順に従い、前記Ｍ個のビームに対してキャリアのセンシングを順次行うように構成されることを特徴とする
請求項１３に記載の端末装置。
【請求項１５】
前記Ｎ番目のビームを含む、キャリアのセンシングが行われたＮ個のビームは、Ｎ個のセンシングウィンドウに１対１で対応し、前記端末装置が前記Ｎ個のビームのうちの各ビームにおいてキャリアのセンシングを行うために用いられるセンシングウィンドウは、前記各ビームに対応するセンシングウィンドウであり、
前記Ｎ個のセンシングウィンドウは、連続したＮ個のセンシングウィンドウであることを特徴とする
請求項１４に記載の端末装置。
【請求項１６】
前記上りチャネルは、ＰＵＳＣＨであり、前記第1シグナリングは、第１時間長の情報を更に含み、
ここで、前記第１時間長は、前記ネットワーク装置により前記端末装置に送信される物理下り制御チャネル（ＰＤＣＣＨ）が所在するタイムスロット、開始時間領域シンボル又は終了時間領域シンボルと、第１センシングウィンドウの開始時刻との間の時間長であり、前記第１センシングウィンドウは、前記Ｎ個のビームのうちの最初にセンシングするビームに対応するセンシングウィンドウであることを特徴とする
請求項１１から１５のうちいずれか一項に記載の端末装置。
【請求項１７】
前記上りチャネルは、ＰＵＳＣＨであり、前記第１シグナリングは、第２時間長の情報を更に含み、
ここで、前記第２時間長は、前記端末装置により前記ネットワーク装置に送信されるＰＵＳＣＨが所在するタイムスロット又は終了時間領域シンボルと、下りフィードバックチャネルが所在するタイムスロット又は開始時間領域シンボルとの間の時間長であり、前記下りフィードバックチャネルは、前記端末装置からネットワーク装置への前記ＰＵＳＣＨに関するフィードバック応答情報の送信に用いられることを特徴とする
請求項１１から１６のうちいずれか一項に記載の端末装置。
【請求項１８】
ネットワーク装置であって、
端末装置に第１シグナリングを送信し、前記第１シグナリングがＭ個のビームのビーム情報を含み、Ｍが正整数であるように構成される送受信ユニットを備え、
前記送受信ユニットは更に、前記端末装置により前記Ｍ個のビームのうちの１つのビームを利用して送信された上りチャネルを受信するように構成される、前記ネットワーク装置。
【請求項１９】
前記ビーム情報は、サウンディング基準信号（ＳＲＳ）リソースインデックスであり、及び／又は、
前記上りチャネルは、物理上り共有チャネル（ＰＵＳＣＨ）又は物理上り制御チャネル（ＰＵＣＣＨ）であることを特徴とする
請求項１８に記載のネットワーク装置。
【請求項２０】
前記送受信ユニットは具体的には、
前記端末装置により前記Ｍ個のビームのうちのＮ番目のビームを利用して送信された上りチャネルを受信するように構成され、前記Ｎ番目のビームは、前記端末装置が前記Ｍ個のビームに対してキャリアのセンシングを順次行い、チャネルがアイドルであることが検出される時に対応するビームであり、Ｎが、Ｍ以下の正整数であり、
前記Ｎ番目のビームを含む、キャリアのセンシングが行われたＮ個のビームは、Ｎ個のセンシングウィンドウに１対１で対応し、前記端末装置が前記Ｎ個のビームのうちの各ビームにおいてキャリアのセンシングを行うために用いられるセンシングウィンドウは、前記各ビームに対応するセンシングウィンドウであることを特徴とする
請求項１８又は１９に記載のネットワーク装置。
【国際調査報告】
2021517387.tif 000012
2021517387.tif 000013
2021517387.tif 000014
2021517387.tif 000015